(57)【要約】【課題】図柄表示部と演出表示部とを簡単な構成で一体化する。【解決手段】各リール２Ｌ〜２Ｒの周面に、複数（例えば１２個）の発光領域５０を軸線方向に１列に並べて配置する。各発光領域５０に対応付けて、各リール２Ｌ〜２Ｒの周面に複数のＬＥＤ素子を配置し、発光させたＬＥＤ素子に対応する発光領域５０が発光されるような構成とする。【効果】回転体（図柄表示部）の周面に配置された複数のＬＥＤ素子（演出表示部）を用いて、それらの発光態様に基づく演出を行うことができる。【選択図】　　　　　　図２
2004057593.tif 000002
【特許請求の範囲】
【請求項１】
周面に複数種類の表示内容が描かれ、周方向に回転されることにより、表示位置に上記複数種類の表示内容を変動表示させることができる回転体と、
上記回転体の周面に設けられた複数の発光体とを含むことを特徴とする遊技機用表示装置。
【請求項２】
上記複数の発光体は、上記回転体の周面に対して交差する方向に延びるように配列されていることを特徴とする請求項１記載の遊技機用表示装置。
【請求項３】
上記複数の発光体は、上記回転体の周方向に対して交差する方向に見ると、当該回転体の一端から他端へ連続するように配列されていることを特徴とする請求項２記載の遊技機用表示装置。
【請求項４】
上記複数の発光体は、表示内容と表示内容との境界位置に配置されていることを特徴とする請求項１〜３のいずれかに記載の遊技機用表示装置。
【請求項５】
上記複数の発光体のそれぞれを、上記回転体の回転状態に関連付けて点灯／消灯させるための点灯制御手段をさらに含むことを特徴とする請求項１〜４のいずれかに記載の遊技機用表示装置。
【請求項６】
周面に複数種類の表示内容が描かれ、周方向に回転されることにより、表示位置に上記複数種類の表示内容を変動表示させることができる回転体と、
上記回転体の周面に設けられ、当該回転体の周方向に対して交差する方向に延びる１次元的表示列装置とを含むことを特徴とする遊技機用表示装置。
【請求項７】
上記１次元的表示列装置は、表示内容と表示内容との境界位置に配置されていることを特徴とする請求項６記載の遊技機用表示装置。
【請求項８】
上記１次元的表示列装置を、上記回転体の回転状態に関連付けて点灯／消灯させるための点灯制御手段をさらに含むことを特徴とする請求項６または７記載の遊技機用表示装置。
【請求項９】
周面に複数種類の表示内容が描かれ、周方向に回転されることにより、表示位置に上記複数種類の表示内容を変動表示させることができる複数の回転体と、
上記複数の回転体のうち少なくとも１つの回転体の周面に設けられた複数の発光体と、
上記複数の発光体のそれぞれを、上記少なくとも１つの回転体の回転状態に関連付けて点灯／消灯させるための点灯制御手段とを含むことを特徴とする遊技機。
【請求項１０】
周面に複数種類の表示内容が描かれ、周方向に回転されることにより、表示位置に上記複数種類の表示内容を変動表示させることができる複数の回転体と、
上記複数の回転体のうち少なくとも１つの回転体の周面に設けられ、当該回転体の周方向に対して交差する方向に延びる１次元的表示列装置と、
上記１次元的表示列装置を、上記少なくとも１つの回転体の回転状態に関連付けて点灯／消灯させるための点灯制御手段とを含むことを特徴とする遊技機。
【発明の詳細な説明】
【０００１】
【発明の属する技術分野】
本発明は、パチンコ機やパチスロ機などの遊技機に関し、特に、遊技機用表示装置に関する。
【０００２】
【従来の技術】
通常、パチンコ機やパチスロ機などの遊技機には、図柄を変動表示可能な図柄表示器が備えられている。図柄表示器の中には、その周面に複数種類の図柄が描かれた複数の円筒状のリールが備えられていて、これらのリールが周方向に回転されることにより、図柄を変動表示させることができるようになっているものがある。
【０００３】
例えば、パチスロ機においては、３つのリールを備えた図柄表示器が配置されている。所定の操作（例えば、遊技メダルを投入してスタートスイッチを操作する）に応答して回転を開始した３つのリールを、遊技者が各リールに対応する停止スイッチを押して個別に停止させ、その停止した図柄の組み合わせが予め定めるボーナス配列（例えば「７７７」）となった場合に、多数枚の遊技メダルを獲得可能なボーナスゲームに突入するようになっている。
【０００４】
パチスロ機の中には、例えば図柄表示器とは別個に演出表示器（例えば液晶表示器）を設けて、この演出表示器の表示内容によりボーナスゲームに突入する旨などを遊技者に報知するようにしたものがある。
【０００５】
【発明が解決しようとする課題】
しかしながら、上記のような構成の場合、遊技中に演出表示器の表示画面を見ようとすると、図柄表示器から目を逸らさなければならず、リールの動きに集中できないという問題があった。
そこで、例えば、特開２０００−１０７３７７号公報に開示された発明のように、図柄表示器の手前側に走査可能な演出表示器（例えばＬＥＤ表示器）を配置することにより、図柄表示器と演出表示器とを一体的な構成とすることが考えられる。
【０００６】
しかし、この構成の場合、図柄表示器の手前側に演出表示器を配置するためのスペースを設ける必要があり、また、演出表示器を走査させるための駆動装置を設けなければならず、機構が複雑になるといった問題がある。
また、円筒状のリールにおける内側の空間に、格子状に配列された複数のＬＥＤ素子を固定すると共に、リールを透光性のある材料で形成することにより、複数のＬＥＤ素子の発光の組み合わせに基づく表示内容を、リール周面を通して視認できるようにすることも考えられる。
【０００７】
しかし、この構成の場合、ＬＥＤ素子からの照射光がリール周面を透過する際に散乱するので、複数のＬＥＤ素子による表示内容を鮮明に表示することができない。また、ＬＥＤ素子を格子状に配列するので、多数個のＬＥＤ素子が必要となり、コストがかかるという問題がある。
本発明は、かかる背景のもとでなされたもので、図柄表示部（回転体）と演出表示部（複数の発光体、１次元的表示列装置）とが簡単な構成で一体化された遊技機用表示装置およびこれを備えた遊技機を提供することを目的とする。
【０００８】
また、本発明の他の目的は、興趣のある演出を行うことができる遊技機用表示装置およびこれを備えた遊技機を提供することである。
【０００９】
【課題を解決するための手段および発明の効果】
上記目的を達成するための請求項１記載の発明は、周面に複数種類の表示内容（図柄）が描かれ、周方向に回転されることにより、表示位置（８）に上記複数種類の表示内容を変動表示させることができる回転体（２Ｌ〜２Ｒ）と、上記回転体の周面（２０１）に設けられた複数の発光体（５１、５１Ｒ、５１Ｇ、５１Ｂ）とを含むことを特徴とする遊技機用表示装置（１）である。
【００１０】
なお、括弧内の英数字は、後述の実施形態における対応構成要素等を表す。以下、この項において同じ。
この構成によれば、回転体（図柄表示部）の周面に配置された複数の発光体（演出表示部）を用いて、それらの点灯態様に基づく演出を行うことができる。したがって、図柄表示器の手前側に演出表示器を配置するような構成や、リールの内側の空間に複数のＬＥＤ素子を格子状に配列するような構成と比較して、図柄表示部と演出表示部とを簡単な構成で一体化することができる。
【００１１】
また、複数の発光体が回転体周面に配置されているので、回転体を回転させつつ発光体を点灯／消灯させることにより、興趣のある演出を行うことができる。請求項２記載の発明のように、上記複数の発光体は、上記回転体の周面に対して交差する方向に延びるように配列されていてもよい。
この場合、請求項３記載の発明のように、上記複数の発光体（５１、５１Ｒ、５１Ｇ、５１Ｂ）は、上記回転体（２Ｌ〜２Ｒ）の周方向に対して交差する方向に見ると、当該回転体の一端から他端へ連続するように（一直線、斜め、千鳥状、段状など）配列されていることが好ましい。
【００１２】
また、請求項４記載の発明のように、上記複数の発光体（５１、５１Ｒ、５１Ｇ、５１Ｂ）は、表示内容と表示内容との境界位置に配置されていることが好ましい。
請求項５記載の発明は、上記複数の発光体（５１、５１Ｒ、５１Ｇ、５１Ｂ）のそれぞれを、上記回転体（２Ｌ〜２Ｒ）の回転状態に関連付けて点灯／消灯させるための点灯制御手段（２０）をさらに含むことを特徴とする請求項１〜４のいずれかに記載の遊技機用表示装置である。
【００１３】
この構成によれば、回転体の周面に描かれた表示内容の変動中に、回転体の回転状態に関連付けて複数の発光体を点灯／消灯させることにより、点灯の残像が２次元的表示（例えば「７」という数字）として表示位置において視認されるようにすることができる。これにより、より興趣ある演出を行うことができる。
請求項６記載の発明は、周面に複数種類の表示内容（図柄）が描かれ、周方向に回転されることにより、表示位置（８）に上記複数種類の表示内容を変動表示させることができる回転体（２Ｌ〜２Ｒ）と、上記回転体の周面（２０１）に設けられ、当該回転体の周方向に対して交差する方向に延びる１次元的表示列装置（５Ｌ〜５Ｒ）とを含むことを特徴とする遊技機用表示装置（１）である。
【００１４】
この構成によれば、回転体（図柄表示部）の周面に配置された１次元的表示列装置（演出表示部）を用いて、それらの点灯態様に基づく演出を行うことができる。したがって、図柄表示器の手前側に演出表示器を配置するような構成や、リールの内側の空間に複数のＬＥＤ素子を格子状に配列するような構成と比較して、図柄表示部と演出表示部とを簡単な構成で一体化することができる。
また、１次元的表示列装置が回転体周面に配置されているので、回転体を回転させつつ１次元的表示列装置を点灯／消灯させることにより、興趣のある演出を行うことができる。
【００１５】
請求項７記載の発明のように、上記１次元的表示列装置（５Ｌ〜５Ｒ）は、表示内容と表示内容との境界位置に配置されていることが好ましい。
請求項８記載の発明は、上記１次元的表示列装置（５Ｌ〜５Ｒ）を、上記回転体（２Ｌ〜２Ｒ）の回転状態に関連付けて点灯／消灯させるための点灯制御手段（２０）をさらに含むことを特徴とする請求項６または７記載の遊技機用表示装置である。
【００１６】
この構成によれば、回転体の周面に描かれた表示内容の変動中に、回転体の回転状態に関連付けて１次元的表示列装置を点灯／消灯させることにより、点灯の残像が２次元的表示（例えば「７」という数字）として表示位置において視認されるようにすることができる。これにより、より興趣ある演出を行うことができる。
請求項９記載の発明は、周面に複数種類の表示内容（図柄）が描かれ、周方向に回転されることにより、表示位置（８）に上記複数種類の表示内容を変動表示させることができる複数の回転体（２Ｌ〜２Ｒ）と、上記複数の回転体のうち少なくとも１つの回転体の周面（２０１）に設けられた複数の発光体（５１、５１Ｒ、５１Ｇ、５１Ｂ）と、上記複数の発光体のそれぞれを、上記少なくとも１つの回転体の回転状態に関連付けて点灯／消灯させるための点灯制御手段（２０）とを含むことを特徴とする遊技機である。
【００１７】
この構成によれば、回転体を回転させつつ複数の発光体を点灯／消灯させることにより、その点灯態様に基づく所定の情報（例えば、ボーナスゲームに突入する旨や、ボーナス抽選に当選し、ボーナスフラグに「１」が格納されている旨（フラグ告知）など）を遊技者に報知することができる。
請求項１０記載の発明は、周面に複数種類の表示内容（図柄）が描かれ、周方向に回転されることにより、表示位置（８）に上記複数種類の表示内容を変動表示させることができる複数の回転体（２Ｌ〜２Ｒ）と、上記複数の回転体のうち少なくとも１つの回転体の周面（２０１）に設けられ、当該回転体の周方向に対して交差する方向に延びる１次元的表示列装置（５Ｌ〜５Ｒ）と、上記１次元的表示列装置を、上記少なくとも１つの回転体の回転状態に関連付けて点灯／消灯させるための点灯制御手段（２０）とを含むことを特徴とする遊技機である。
【００１８】
この構成によれば、回転体を回転させつつ１次元的表示列装置を点灯／消灯させることにより、その点灯態様に基づく所定の情報（例えば、ボーナスゲームに突入する旨や、ボーナス抽選に当選し、ボーナスフラグに「１」が格納されている旨（フラグ告知）など）を遊技者に報知することができる。
【００１９】
【発明の実施の形態】
以下には、図面を参照して、本発明の実施形態について具体的に説明する。
図１は、本発明の一実施形態に係るパチスロ機の電気的構成を示すブロック図である。
このパチスロ機には、例えば周面に複数種類の図柄が描かれた円筒状の３つのリール（左リール２Ｌ、中リール２Ｃ、右リール２Ｒ）を有する図柄表示装置１が備えられている。これらのリール２Ｌ〜２Ｒは、例えば軸線方向（横方向）に隣接して配置されており、それぞれに連結されたステップモータ３Ｌ、３Ｃ、３Ｒの駆動により、軸線回りに回転可能となっている。３つのリール２Ｌ〜２Ｒが停止した状態では、各リール２Ｌ〜２Ｒの３つ分の図柄が表示位置に停止表示される。このとき、左右に延びる上、中、下の３本の停止ラインと、対角線上に斜めに延びる２本の停止ラインとの計５本の停止ライン上に図柄が配列した状態となる（図２参照）。
【００２０】
パチスロ機には、例えばメダル投入口（図示せず）から遊技メダルを投入することにより、所定枚数（例えば５０枚）まで遊技メダルを電子データとして機内に預けておくことができるようになっている。メダル投入口から投入されたメダルは、投入メダル判別装置３１によって、そのメダルが規定の遊技メダルであるか否かが判別される。そして、投入された遊技メダルが規定の遊技メダルであれば機内に預けられ、規定の遊技メダルでない場合には機外に排出される。パチスロ機に預けられた遊技メダルの枚数は、貯留枚数表示器３２に表示される。上記所定枚数を超えた遊技メダルは、メダル払出装置３３から機外に払い出されるようになっている。
【００２１】
パチスロ機内に遊技メダルを預けた後、ベットスイッチ３４を押操作することによって、１〜３枚の遊技メダルをベットすることができる。すなわち、ベットスイッチ３４の１回の押操作で１枚の遊技メダルがベットされ、これに応答して、貯留枚数表示器３２に表示されている数が１だけ減らされる。１〜３枚の遊技メダルをベットすると、その遊技メダルの数に応じた本数の停止ラインが有効化される。なお、遊技メダルのベットは、メダル投入口から１〜３枚の遊技メダルを投入することによって行われてもよい。
【００２２】
遊技メダルをベットした後、スタートスイッチ３５を操作すると、図柄表示装置１に備えられた３つのリール２Ｌ〜２Ｒが一斉に回転開始される。これら３つのリール２Ｌ〜２Ｒの回転位置は、それぞれリール位置検出器４Ｌ、４Ｃ、４Ｒによって検出することができる。具体的には、リール位置検出器４Ｌ〜４Ｒは、赤外線ＬＥＤとフォトダイオードとにより構成されるフォトインタラプタであって、リール２Ｌ〜２Ｒの回転に伴って、リール２Ｌ〜２Ｒに形成された突起が赤外線ＬＥＤとフォトダイオードとの間を周期的に通過し、赤外線ＬＥＤからフォトダイオードへの入射光が一定の時間間隔で遮られるようになっている。リール位置検出器４Ｌ〜４Ｒは、赤外線ＬＥＤからフォトダイオードへの入射光が遮られる毎に検出信号（リール位置検出信号）を出力するようになっていて、この検出信号が出力された時点を基準点として、その基準点からの経過時間に基づいてリール２Ｌ〜２Ｒの回転位置を検出することができる。
【００２３】
３つのリール４Ｌ〜４Ｒの回転は、それぞれに対応する３つの停止スイッチ３０Ｌ、３０Ｃ、３０Ｒを押操作することにより個別に停止させることができる。各停止スイッチ３０Ｌ〜３０Ｒを押操作して、全てのリール２Ｌ〜２Ｒを停止させた時点で、有効化された停止ライン上に整列した図柄の組み合わせが予め定めるボーナス配列（例えば「７７７」）であれば、多数枚の遊技メダルを獲得可能なボーナスゲームに突入する。
【００２４】
各リール２Ｌ〜２Ｒの回転は、停止スイッチ３０Ｌ〜３０Ｒの押操作に応答して直ちに停止するとは限らない。すなわち、スタートスイッチ３５の操作に応答してボーナス抽選が行われ、その抽選結果が当選であれば、停止ライン上にボーナス配列で図柄が停止しやすくなるように、いわゆる引き込み制御が行われる。一方、ボーナス抽選の抽選結果が当選でなければ、いわゆるすべり制御により、停止ライン上にボーナス配列で図柄が停止しないようになっている。
【００２５】
このパチスロ機での遊技を終了する際には、精算スイッチ３６を押操作することにより、パチスロ機内に預けられている遊技メダルを機外に払い出させることができる。このとき、遊技メダルが１枚払い出される度に、貯留枚数表示器３２の表示が１ずつ減らされる。
当該パチスロ機における遊技内容は、主にメイン基板２０により制御される。メイン基板２０には、例えば、ＣＰＵ２１、ＲＡＭ２２およびＲＯＭ２３の他、ステップモータ３Ｌ〜３Ｒに向けてそれらの回転駆動を制御するための信号（ステップモータ回転制御信号）を出力するステップモータ制御部２４や、ボーナス抽選などの各種抽選に用いられる乱数を発生する乱数発生器２５が含まれる。ボーナス抽選は、乱数発生器２５から取得した乱数に基づいてＣＰＵ２１において行われる。本実施形態では、ボーナス抽選に当選した場合、ＲＡＭ２２に記憶されたボーナスフラグに「１」が格納され、その後に停止ライン上にボーナス配列で図柄が停止するまで引き込み制御が行われるようになっている。
【００２６】
メイン基板２０には、ステップモータ３Ｌ〜３Ｒ、リール位置検出器４Ｌ〜４Ｒ、停止スイッチ３０Ｌ〜３０Ｒ、投入メダル判別装置３１、貯留枚数表示器３２、メダル払出装置３３、ベットスイッチ３４、スタートスイッチ３５および精算スイッチ３６の他、パチスロ機本体に備えられた各種表示装置３７（例えば、メダル払出装置３３から払い出される遊技メダルの枚数を表示するためのメダル払出枚数表示器など）の表示を制御する表示用サブ制御基板３８や、遊技を盛り上げるためにスピーカ３９から出力される音声を制御する音声用サブ制御基板４０が接続されている。
【００２７】
図柄表示装置１の各リール２Ｌ〜２Ｒの周面には、それぞれ複数のＬＥＤ素子を備えたＬＥＤアレイ５Ｌ、５Ｃ、５Ｒ（１次元的表示列装置）が配置されている。各ＬＥＤアレイ５Ｌ〜５ＲにおけるＬＥＤ素子の発光態様は、アンテナ６Ｌ、６Ｃ、６Ｒから受信された信号（ＬＥＤアレイ制御信号）に基づいて、それぞれに対応するＬＥＤアレイ制御ＩＣ７Ｌ、７Ｃ、７Ｒにより制御される。各ＬＥＤアレイ制御ＩＣ７Ｌ〜７ＲへのＬＥＤアレイ制御信号は、メイン基板２０に接続された演出装置制御基板４１から、各リール２Ｌ〜２Ｒに対応するアンテナ４２Ｌ、４２Ｃ、４２Ｒを介して送信される。
【００２８】
図２および図３は、図柄表示装置１の具体例を示す外観図である。
図２に示す具体例では、各リール２Ｌ〜２Ｒの周面における隣接する所定の２つの図柄間に、複数（例えば１２個）の発光領域５０が、リール２Ｌ〜２Ｒの軸線方向に１列に並べて（一直線に）配置されている。各リール２Ｌ〜２Ｒに取り付けられたＬＥＤアレイ５Ｌ〜５Ｒの複数のＬＥＤ素子は、各発光領域５０にそれぞれ対向して配置されていて、発光させたＬＥＤ素子に対応する発光領域５０が発光されるようになっている。
【００２９】
この具体例では、各リール２Ｌ〜２Ｒの発光領域５０がそれぞれ同じ態様で配置されている場合を示しているが、これに限らず、発光領域５０がリール２Ｌ〜２Ｒ毎に異なる態様で配置されていてもよい。また、全てのリール２Ｌ〜２Ｒに発光領域５０が配置されている構成に限らず、例えば、中リール２Ｃにのみ配置されているような構成であってもよい。
各リール２Ｌ〜２Ｒの発光領域５０は、上記具体例のように１列に並べて配置された構成に限らず、例えば格子状やＶ字状に並べて配置されていてもよい。
【００３０】
図３に示す具体例では、複数の発光領域５０がリール２Ｌ〜２Ｒ毎に異なる態様で配置されている。ただし、図３では、各リール２Ｌ〜２Ｒの外周面に描かれた図柄を省略して示している。
左リール２Ｌには、隣接する所定の２つの図柄間に、複数（例えば６個）の発光領域５０が軸線方向に一定間隔（例えばＬＥＤ素子１個分）ずつ空けて１列に並べて配置されると共に、これらの発光領域５０の列に対して周方向に一定間隔（例えば１図柄分）を空けた位置の軸線方向に沿って、複数（例えば６個）の発光領域５０が軸線方向に一定間隔（例えばＬＥＤ素子１個分）ずつ空けて１列に並べて配置されている。これにより、計１２個の発光領域５０が互いに千鳥状に並んで配置されている。
【００３１】
中リール２Ｃには、複数（例えば１２個）の発光領域５０が、軸線方向に対して交差する方向に１列に並べて（斜めに）配置されている。
右リール２Ｒには、隣接する所定の２つの図柄間の右側に、複数（例えば６個×２列の計１２個）の発光領域５０が軸線方向に沿って２列に並べて配置されると共に、これらの発光領域５０に対して周方向に一定間隔（例えば１図柄分）を空けた位置の左側に、複数（例えば６個×２列の計１２個）の発光領域５０が軸線方向に沿って２列に並べて配置されている。これにより、それぞれ計１２個の発光領域５０からなる２つの発光部が互いに段状に配置されている。
【００３２】
各リール２Ｌ〜２Ｒに取り付けられたＬＥＤアレイ５Ｌ〜５Ｒの複数のＬＥＤ素子は、各リール２Ｌ〜２Ｒの軸線方向に見ると、当該リール２Ｌ〜２Ｒの一端から他端へ連続するように配列されている。ＬＥＤアレイ５Ｌ〜５Ｒの複数のＬＥＤ素子は、各発光領域５０にそれぞれ対向して配置されていて、発光させたＬＥＤ素子に対応する発光領域５０が発光されるようになっている。
図４は、各発光領域５０の発光制御に基づく演出の一例を示す図である。ただし、図４では、各リール２Ｌ〜２Ｒの外周面に描かれた図柄を省略して示している。
【００３３】
図４に示す一例では、各リール２Ｌ〜２Ｒの周面に、複数（例えば２４個）の発光領域５０が軸線方向に１列に並べて配置されている。各リール２Ｌ〜２Ｒを回転させつつ、その回転に同期させて（回転状態に関連付けて）各発光領域５０の発光態様を周期的に変化させれば、図４に示すように、その発光態様の周期的変化に応じた点灯の残像を、表示内容Ｐ（例えば「７」という数字；２次元的表示）として表示位置８に浮かび上がらせることができる。これにより、より興趣のある演出を行うことができる。
【００３４】
このような演出を用いて、例えばボーナスゲームに突入する旨を報知したり、ボーナス抽選に当選し、ボーナスフラグに「１」が格納されている旨を報知（フラグ告知）したりすることができる。
フラグ告知を行う場合には、表示位置８に図柄の組み合わせ（例えば「７７７」）を浮かび上がらせることにより、有効化された停止ライン上にどのような組み合わせで図柄を停止させればボーナスゲームに突入するかを報知するような構成となっていてもよい。この場合、各発光領域５０の発光制御に基づく演出中は、停止スイッチ３０Ｌ〜３０Ｒを押してもリール２Ｌ〜２Ｒが停止しないようになっていて、演出が終了した後に、各停止スイッチ３０Ｌ〜３０Ｒの押操作による各リール２Ｌ〜２Ｒの停止操作が可能になるような構成となっていてもよい。
【００３５】
図２〜図４では、複数の発光領域５０が整列して配置されている構成について説明したが、これらの構成に限らず、例えば複数の発光領域５０がリール２Ｌ〜２Ｒの周面にランダムに配置されていてもよい。このような構成であっても、リール２Ｌ〜２Ｒの回転位置を検知して、それらの回転位置に対応する各発光領域５０の位置を正確に認識できれば、リール２Ｌ〜２Ｒを回転させつつ各発光領域５０の発光態様を所定のタイミングで変化させることにより、図４において説明したような残像を表示位置８に浮かび上がらせることができる。
【００３６】
図５および図６は、本発明の一実施形態に係る左リール２Ｌの内部構成を示す断面図であって、図５は軸線方向に直交する断面を示しており、図６は軸線方向に沿った断面を示している。また、図７は、この実施形態における左リール２Ｌ内の電気的構成を示すブロック図である。なお、以下の説明では左リール２Ｌの構成についてのみ説明するが、中リール２Ｃおよび右リール２Ｒも左リール２Ｌと同様の構成を有している。
【００３７】
図５〜図７を参照して、本実施形態では、左リール２Ｌは、その外周面に図柄が描かれた周面壁２０１と、当該左リール２Ｌの一端面（右端面）を構成する複数本（例えば８本）のリブ２０２とを含む。８本のリブ２０２は、例えば左リール２Ｌの周方向に互いに一定角度（例えば４５°）の間隔を空けて放射状に配置されている。ＬＥＤアレイ５ＬおよびＬＥＤアレイ制御ＩＣ７Ｌは一体的に構成されていて、これらのＬＥＤアレイ５ＬおよびＬＥＤアレイ制御ＩＣ７Ｌは、周面壁２０１の内周面に、周方向に一定の角度間隔（例えば９０°）を空けて複数組（例えば４組）取り付けられている。このように、ＬＥＤアレイ制御ＩＣ７Ｌは、回転される左リール２Ｌ内に配置されるので、小型かつ軽量であることが好ましい。
【００３８】
演出装置制御基板４１からのＬＥＤアレイ制御信号を受信するためのアンテナ６１は、例えば環状に形成されていて、左リール２Ｌ内のリブ２０２寄りの位置に、周面壁２０１の内周面に対向して延びている。これにより、アンテナ６１は、左リール２Ｌが回転しても周面壁２０１やＬＥＤアレイ５Ｌなどに接触しないようになっている。ステップモータ３Ｌは、その回転軸３０１が８本のリブ２０２の結合部に連結されている。
【００３９】
本実施形態のように、左リール２Ｌの周面壁２０１に複数（例えば４つ）のＬＥＤアレイ５Ｌを配置すれば、左リール２Ｌの回転速度が遅いときでも、ＬＥＤアレイ５Ｌを一定の短い周期で表示位置８に対向させることができるので、各ＬＥＤアレイ５Ｌの発光制御に基づいて、表示位置８に表示内容Ｐを鮮明に浮かび上がらせることができる。
ＬＥＤアレイ制御ＩＣ７Ｌには、電源Ｅから直接電力が供給される。すなわち、周面壁２０１のリブ２０２と反対側の周縁には、リング状に形成された電極７１が取り付けられていて、この電極７１の内周面に、電源Ｅに接続された通電可能な当接部材７２が当接している。この構成により、左リール２Ｌが回転していても、常に当接部材７２が電極７１に接触した状態となるので、電源Ｅから途切れることなくＬＥＤアレイ制御ＩＣ７Ｌに電力を供給することができる。
【００４０】
ＬＥＤアレイ制御ＩＣ７Ｌには、メイン基板２０から演出装置制御基板４１に送られた制御信号に基づくＬＥＤアレイ制御信号が、２つのアンテナ４２Ｌ、６１間の無線通信を介して送信される。この無線通信は、例えば、電波を介した通信によって達成されるような構成であってもよいし、光通信などの他の通信手段を介して達成されるような構成であってもよい。
ＬＥＤアレイ制御ＩＣ７Ｌは、アンテナ６１で受信したＬＥＤアレイ制御信号に基づいて、ＬＥＤアレイ５Ｌを構成する複数のＬＥＤ素子５１の発光態様を制御する。各ＬＥＤ素子５１の通電方向下流側には、抵抗器５２がそれぞれ介装されている。
【００４１】
図８および図９は、本発明の別の実施形態に係る左リール２Ｌの内部構成を示す断面図であって、図８は軸線方向に直交する断面を示しており、図９は軸線方向に沿った断面を示している。また、図１０は、この実施形態における左リール２Ｌ内の電気的構成を示すブロック図である。なお、以下の説明では左リール２Ｌの構成についてのみ説明するが、中リール２Ｃおよび右リール２Ｒも左リール２Ｌと同様の構成を有している。また、図５〜図７において説明した実施形態と同様の構成については、図に同一符号を付してその説明を省略する。
【００４２】
図８〜図１０を参照して、本実施形態では、ＬＥＤアレイ制御ＩＣ７Ｌには、太陽電池７３により電力が供給される。すなわち、左リール２Ｌの周面壁２０１には、その内周面全体にわたって、太陽電池７３を担持したフレキシブルな太陽電池フィルム７３Ａが貼り付けられている。左リール２Ｌ内には、当該左リール２Ｌの周面壁２０１に対向して、ランプユニット７４が配置されている。このランプユニット７４に含まれるランプ７４Ａを点灯させることにより、太陽電池７３を構成する複数のセル７３１に光を照射し、太陽電池７３内で電力を発生させることができる。
【００４３】
演出装置制御基板４１からのＬＥＤアレイ制御信号を受信するためのアンテナ６２は、例えば環状に形成されていて、左リール２Ｌ内におけるリブ２０２とは反対側に、周面壁２０１の内周面に対向して延びている。これにより、アンテナ６１は、左リール２Ｌが回転しても周面壁２０１やＬＥＤアレイ５Ｌなどに接触しないようになっている。
図１１は、ＬＥＤアレイ５Ｌ〜５Ｒの構成の変形例を示す回路図である。
【００４４】
この変形例では、例えば赤色、緑色および青色にそれぞれ発光可能な３つのＬＥＤ素子５１Ｒ、５１Ｇ、５１Ｂにより構成される発光チップ５０１が、複数個並べて１列に配置されている。各発光チップ５０１は、３つのＬＥＤ素子５１Ｒ〜５１Ｂの発光量を調節することにより、複数色に発光可能である。この構成によれば、各リール２Ｌ〜２Ｒの回転中に各ＬＥＤ素子５１Ｒ〜５１Ｇの発光態様を制御することにより、表示位置８に色鮮やかな表示内容を浮かび上がらせることができる。各ＬＥＤ素子５１Ｒ〜５１Ｂの通電方向上流側には、抵抗器５３がそれぞれ介装されている。
【００４５】
以上に説明したような本発明の構成によれば、図柄表示器の手前側に演出表示器を配置するような構成や、リールの内側の空間に複数のＬＥＤ素子を格子状に固定するような構成と比較して、図柄表示部（リール２Ｌ〜２Ｒ）と演出表示部（ＬＥＤ素子５１、５１Ｒ、５１Ｇ、５１Ｂ；ＬＥＤアレイ５Ｌ〜５Ｒ）とを簡単な構成で一体化することができる。
本発明は、以上の実施形態の内容に限定されるものではなく、請求項記載の範囲内において種々の変更が可能である。
【００４６】
例えば、上記実施形態では、停止スイッチ３０Ｌ〜３０Ｒの押操作により停止されるリール２Ｌ〜２ＲにＬＥＤ素子を配置する構成について説明したが、別個に設けられた演出を行うために用いられるリールなどにＬＥＤ素子を配置してもよい。
また、各リール２Ｌ〜２Ｒの回転中にＬＥＤ素子が発光されることにより表示位置８に表示される表示内容は、図４に示したような図柄に限らず、例えばメッセージ（コマーシャルメッセージなど）であってもよい。
【００４７】
リール２Ｌ〜２Ｒに取り付けられた１次元的表示列装置としてのＬＥＤアレイ５Ｌ〜５Ｒは、複数のＬＥＤ素子５１、５１Ｒ、５１Ｇ、５１Ｂにより構成されるものに限らず、例えばリール２Ｌ〜２Ｒの軸線方向に沿って１次元的に延びる液晶表示器などであってもよい。
表示位置８に図柄を変動表示させるための回転体は、円筒状のリール２Ｌ〜２Ｒに限らず、例えば外周面に複数種類の図柄が描かれた無端状のベルトなどであってもよい。この場合、ベルトの周面にＬＥＤ素子を配置してもよい。
【００４８】
本発明の一実施形態としてパチスロ機について説明したが、本発明はパチスロ機に限らず、パチンコ機などの他の遊技機にも適用可能である。本発明をパチンコ機に適用した場合、ＬＥＤ素子を用いた演出により、多数個の遊技球を獲得可能な大当たり遊技に突入する確率（信頼度）が高い旨を報知する、いわゆる大当たり報知などを行ってもよい。
【図面の簡単な説明】
【図１】本発明の一実施形態に係るパチスロ機の電気的構成を示すブロック図である。
【図２】図柄表示装置の具体例を示す外観図である。
【図３】図柄表示装置の具体例を示す外観図である。
【図４】各発光領域の発光制御に基づく演出の一例を示す図である。
【図５】本発明の一実施形態に係る左リールの内部構成を示す断面図であって、軸線方向に直交する断面を示している。
【図６】本発明の一実施形態に係る左リールの内部構成を示す断面図であって、軸線方向に沿った断面を示している。
【図７】この実施形態における左リール内の電気的構成を示すブロック図である。
【図８】本発明の別の実施形態に係る左リールの内部構成を示す断面図であって、軸線方向に直交する断面を示している。
【図９】本発明の別の実施形態に係る左リールの内部構成を示す断面図であって、軸線方向に沿った断面を示している。
【図１０】この実施形態における左リール内の電気的構成を示すブロック図である。
【図１１】ＬＥＤアレイの構成の変形例を示す回路図である。
【符号の説明】
１　　図柄表示装置
２Ｌ〜２Ｒ　リール
２０１　周面壁
５Ｌ〜５Ｒ　ＬＥＤアレイ
８　　表示位置
２０　メイン基板
５１　ＬＥＤ素子
５１Ｒ、５１Ｇ、５１Ｂ　ＬＥＤ素子
Ｐ　　表示内容
【図１】
2004057593.tif 000003
【図２】
2004057593.tif 000004
【図３】
2004057593.tif 000005
【図４】
2004057593.tif 000006
【図５】
2004057593.tif 000007
【図６】
2004057593.tif 000008
【図７】
2004057593.tif 000009
【図８】
2004057593.tif 000010
【図９】
2004057593.tif 000011
【図１０】
2004057593.tif 000012
【図１１】
2004057593.tif 000013